(57)【要約】【課題】自動販売機の冷却システムの制御装置に関し、イニシャルプルダウン時や商品充填時（過渡運転状態時）、圧縮機への負荷を低減するため、蒸発温度が所定温度以上にならないよう庫内ファンの回転数を少なくしている中、蒸発温度が許容範囲より小さい場合、庫内ファンの回転数を上げる制御になっており、イニシャルプルダウン制御や商品充填時の制御と相反する制御となっており圧縮機への負荷トルクが増え消費電力量が増える課題を有していた。【解決手段】予め決められた回転数で制御する庫内ファン回転数制御手段３１０を一定の回転数で制御する庫内ファン回転数制御手段３１１とすることにより、蒸発器６０Ａ、蒸発器６０Ｂ、蒸発器６０Ｃにおける冷媒と蒸発器周囲空気との熱交換量を機種毎や庫内毎に適正化することになり、圧縮機６８にかかる負荷も適正化できて消費電力の低減を図ることができる。【選択図】図４
2012226566.tif 000002
【特許請求の範囲】
【請求項１】
庫内を冷却するための蒸発器と庫内ファンと圧縮機と凝縮器と庫外ファンとを備えた自動販売機で、イニシャルプルダウン状態や商品充填状態である過渡運手状態を判定するための過渡運転判定手段と、前記庫内ファンの回転数を制御する庫内ファン回転数制御手段とを備え、前記過渡運転判定手段が過渡運転状態と判定する場合、各庫内ファンの回転数を所定値に設定することを特徴とする自動販売機。
【請求項２】
前記庫内ファン回転数制御手段は、庫内ファン回転数記憶部と庫内ファン回転数設定部と時間計測部とを備え、前記過渡運転判定手段が過渡運転状態と判定する場合、各庫内ファンの回転数を予め決められた値に設定することを特徴とする請求項１に記載の自動販売機。
【請求項３】
前記庫内ファン回転数制御手段は、庫内ファン回転数記憶部と庫内ファン回転数設定部と時間計測部と冷却状態を判定するための冷却動作判定部とを備え、前記過渡運転判定手段が過渡運転状態と判定する場合、各庫内ファンの回転数を冷却状態に適した所定値に設定することを特徴とする請求項１に記載の自動販売機。
【請求項４】
前記庫内ファン回転数制御手段は、庫内ファン回転数記憶部と庫内ファン回転数設定部と過渡運転状態が継続されている時間を計測するための過渡運転時間計測部とを備え、前記過渡運転判定手段が過渡運転状態と判定する場合、各庫内ファンの回転数を予め決められた一定の値に設定することを特徴とする請求項２に記載の自動販売機。
【請求項５】
前記庫内ファン回転数制御手段は、庫内ファン回転数設定部と過渡運転時間計測部と庫内ファンの動作時間を計測するための運転時間計測部と前記運転時間計測部が所定の時間に到達すれば庫内ファンの回転数を切替えるための庫内ファン回転数切替部とを備え、前記過渡運転判定手段が過渡運転状態と判定する場合、各庫内ファンの回転数を所定値に設定し、前記運転時間計測部が所定の時間に到達すれば前記庫内ファンの回転数を切替えることを特徴とする請求項２に記載の自動販売機。
【請求項６】
前記庫内ファン回転数制御手段は、庫内ファン回転数記憶部と庫内ファン回転数設定部と過渡運転時間計測部と庫内ファン回転数切替部と庫内温度を判定するための庫内温度判定部とを備え、前記過渡運転判定手段が過渡運転状態と判定する場合、前記庫内温度が所定の値よりも低い場合に前記各庫内ファンの回転数を増やし、前記庫内温度が所定の値以上の場合に前記各庫内ファンの回転数を減らすことを特徴とする請求項３に記載の自動販売機。
【請求項７】
前記庫内ファン回転数制御手段は、庫内ファン回転数記憶部と庫内ファン回転数設定部と過渡運転時間計測部と庫内ファン回転数切替部と冷却中の庫内数をカウントするための冷却庫内数カウント部とを備え、前記過渡運転判定手段が過渡運転状態と判定する場合、冷却庫内数が所定の値よりも多い場合に前記各庫内ファンの回転数を減らし、冷却庫内数が所定の値以下の場合に前記各庫内ファンの回転数を増やすことを特徴とする請求項３に記載の自動販売機。
【発明の詳細な説明】
【技術分野】
【０００１】
本発明は、自動販売機の冷却システムの制御装置に関するものである。
【背景技術】
【０００２】
近年、自動販売機は、冷媒の温度にもとづいて庫内ファンの回転数制御する特徴となってきている。（例えば、特許文献１参照）
以下、図面を参照しながら、上記従来の自動販売機について説明する。
【０００３】
図９は、従来の構成図であり、冷却装置１１は、圧縮機２１と冷媒を蒸発させる蒸発器２６ａ、蒸発器２６ｂ、蒸発器２６ｃとエジェクタ２３と気液分離器２４と空気を送風する庫内送風ファン３４ａ、庫内送風ファン３４ｂ、庫内送風ファン３４ｃと冷媒温度センサ３２により構成されている。
【０００４】
上記構成において、冷媒温度センサ３２により検知された冷媒温度が予め決められた許容範囲内にある場合には、庫内送風ファン３４ａ、庫内送風ファン３４ｂ、庫内送風ファン３４ｃによる送風量を保持し、検知された冷媒温度が前記許容範囲の上限値を超える場合には、庫内送風ファン３４ａ、庫内送風ファン３４ｂ、庫内送風ファン３４ｃによる送風量を減少させる一方、検知された冷媒温度が前記許容範囲の下限値を下回っている場合には、庫内送風ファン３４ａ、庫内送風ファン３４ｂ、庫内送風ファン３４ｃによる送風量を増大させるように制御している。
【先行技術文献】
【特許文献】
【０００５】
【特許文献１】特開２００９−１７４７６２号公報
【発明の概要】
【発明が解決しようとする課題】
【０００６】
しかしながら、上記従来の自動販売機では、蒸発器の温度が安定していないイニシャルプルダウン時や商品充填時（過渡運転状態時）、圧縮機２１への負荷を低減するため、蒸発温度が所定温度以上にならないよう庫内送風ファン３４ａ、庫内送風ファン３４ｂ、庫内送風ファン３４ｃの回転数を少なくしている中、蒸発温度が許容範囲より小さい場合、庫内送風ファン３４ａ、庫内送風ファン３４ｂ、庫内送風ファン３４ｃの回転数を上げる制御になっており、イニシャルプルダウン制御や商品充填時の制御と相反する制御となっており圧縮機への負荷トルクが増え消費電力量が増える課題を有していた。また、冷媒温度センサ３２は、複数の蒸発器２６ａ、蒸発器２６ｂ、蒸発器２６ｃが並列に接続されている冷却システムにおいて、個々の蒸発温度ではなくトータルの蒸発温度を検知する。トータルの蒸発温度が低く、特定の蒸発器のみ蒸発温度が高い場合、庫内送風ファン３４ａ、庫内送風ファン３４ｂ、庫内送風ファン３４ｃの送風量が増大して蒸発器２６ａ、蒸発器２６ｂ、蒸発器２６ｃのいずれかの蒸発温度がさらに高くなりイニシャルプルダウン時間が遅くなるという課題を有していた。
【０００７】
本発明は上記従来の課題を解決するものであり、過渡運転状態時、機種毎や庫内毎さらには冷却運転状態に従って、庫内送風ファン３４ａ、庫内送風ファン３４ｂ、庫内送風ファン３４ｃの回転数を決定し、圧縮機への負荷トルクを減らし消費電力量も減らすことができる自動販売機を提供することを目的とする。
【課題を解決するための手段】
【０００８】
上記従来の課題を解決するために、本発明の自動販売機は、庫内を冷却するための蒸発器と庫内ファンと圧縮機と凝縮器と庫外ファンとを有し、イニシャルプルダウン状態や商品充填状態である過渡運手状態を判定するための過渡運転判定手段と、前記庫内ファンの回転数を制御する庫内ファン回転数制御手段とを備え、前記過渡運転判定手段が過渡運転状態と判定する場合、各庫内ファンの回転数を所定値に設定するものである。
【０００９】
これによって、前記負荷制御手段は前記過渡運転判定手段が過渡運転状態と判定する場合、各庫内ファンの回転数を過渡運転状態の値に設定することとなり、過渡運転状態時、機種毎や庫内毎さらには冷却運転状態に従って、前記庫内ファンの回転数を決定し、前記圧縮機への負荷トルクを減らし消費電力量も減らすことができる。さらには前記圧縮機の負荷トルクを減らしつつもイニシャルプルダウン時間を短縮することもできる。
【発明の効果】
【００１０】
本発明の自動販売機は、過負荷運転状態時に、機種毎や庫内毎さらには冷却運転状態に従って、庫内ファンの回転数を決定し、圧縮機への負荷トルクを減らし消費電力量も減らすことができる。さらには圧縮機の負荷トルクを減らしつつもイニシャルプルダウン時間を短縮することもできる。
【図面の簡単な説明】
【００１１】
【図１】本発明の実施の形態１における自動販売機の概要構成図
【図２】本発明の実施の形態１における自動販売機の冷却システムの概要構成図
【図３】本発明の実施の形態１における自動販売機の制御装置の概要図
【図４】本発明の実施の形態１における自動販売機の制御装置の詳細図
【図５】本発明の実施の形態１における自動販売機の制御装置の制御フローチャート
【図６】本発明の実施の形態１における自動販売機の制御装置の制御フローチャート
【図７】本発明の実施の形態２における自動販売機の制御装置の制御フローチャート
【図８】本発明の実施の形態２における自動販売機の制御装置の制御フローチャート
【図９】従来の自動販売機の冷却システムの概要構成図
【発明を実施するための形態】
【００１２】
請求項１に記載の発明は、庫内を冷却するための蒸発器と庫内ファンと圧縮機と凝縮器と庫外ファンとを備えた自動販売機で、イニシャルプルダウン状態や商品充填状態である過渡運手状態を判定するための過渡運転判定手段と、前記庫内ファンの回転数を制御する庫内ファン回転数制御手段とを備え、前記過渡運転判定手段が過渡運転状態と判定する場合、各庫内ファンの回転数を所定値に設定することにより、過負荷運転状態時に、機種毎や庫内毎さらには冷却運転状態に従って、前記庫内ファンの回転数を決定し、前記圧縮機への負荷トルクを減らし消費電力量も減らすことができる。さらには前記圧縮機の負荷トルクを減らしつつもイニシャルプルダウン時間を短縮することもできる。
【００１３】
請求項２に記載の発明は、請求項１に記載の発明において、前記庫内ファン回転数制御手段は、庫内ファン回転数記憶部と庫内ファン回転数設定部と時間計測部とを備え、前記過渡運転判定手段が過渡運転状態と判定する場合、各庫内ファンの回転数を予め決められた値に設定することにより、過負荷運転状態時に、機種毎や庫内毎に従って、前記庫内ファンの回転数を決定し、前記圧縮機への負荷トルクを減らし消費電力量も減らすことができる。
【００１４】
請求項３に記載の発明は、請求項１に記載の発明において、前記庫内ファン回転数制御手段は、庫内ファン回転数記憶部と庫内ファン回転数設定部と時間計測部と冷却状態を判定するための冷却動作判定部とを備え、前記過渡運転判定手段が過渡運転状態と判定する場合、各庫内ファンの回転数を冷却状態に適した所定値に設定することにより、過負荷運
転状態時に、機種毎や庫内毎さらには冷却運転状態に従って、前記庫内ファンの回転数を決定し、前記圧縮機への負荷トルクを減らし消費電力量も減らすことができる。さらには前記圧縮機の負荷トルクを減らしつつもイニシャルプルダウン時間を短縮することもできる。
【００１５】
請求項４に記載の発明は、請求項２に記載の発明において、前記庫内ファン回転数制御手段は、庫内ファン回転数記憶部と庫内ファン回転数設定部と過渡運転状態が継続されている時間を計測するための過渡運転時間計測部とを備え、前記過渡運転判定手段が過渡運転状態と判定する場合、各庫内ファンの回転数を予め決められた一定の値に設定することにより、過負荷運転状態時に、機種毎や庫内毎に従って、前記庫内ファンの回転数を決定し、前記圧縮機への負荷トルクを減らし消費電力量も減らすことができる。
【００１６】
請求項５に記載の発明は、請求項２に記載の発明において、前記庫内ファン回転数制御手段は、庫内ファン回転数設定部と過渡運転時間計測部と庫内ファンの動作時間を計測するための運転時間計測部と前記運転時間計測部が所定の時間に到達すれば庫内ファンの回転数を切替えるための庫内ファン回転数切替部とを備え、前記過渡運転判定手段が過渡運転状態と判定する場合、各庫内ファンの回転数を所定値に設定し、前記運転時間計測部が所定の時間に到達すれば前記庫内ファンの回転数を切替えることにより、過負荷運転状態時に、機種毎や庫内毎に従って、前記庫内ファンの回転数を決定し、前記圧縮機への負荷トルクを減らし消費電力量も減らすことができる。さらには前記圧縮機の負荷トルクを減らしつつもイニシャルプルダウン時間を短縮することもできる。
【００１７】
請求項６に記載の発明は、請求項３に記載の発明において、前記庫内ファン回転数制御手段は、庫内ファン回転数記憶部と庫内ファン回転数設定部と過渡運転時間計測部と庫内ファン回転数切替部と庫内温度を判定するための庫内温度判定部とを備え、前記過渡運転判定手段が過渡運転状態と判定する場合、前記庫内温度が所定の値よりも低い場合に前記各庫内ファンの回転数を増やし、前記庫内温度が所定の値以上の場合に前記各庫内ファンの回転数を減らすことにより、過負荷運転状態時に、機種毎や庫内毎さらには冷却運転状態に従って、前記庫内ファンの回転数を決定し、前記圧縮機への負荷トルクを減らし消費電力量も減らすことができる。さらには前記圧縮機の負荷トルクを減らしつつもイニシャルプルダウン時間を短縮することもできる。
【００１８】
請求項７に記載の発明は、請求項３に記載の発明において、前記庫内ファン回転数制御手段は、庫内ファン回転数記憶部と庫内ファン回転数設定部と過渡運転時間計測部と庫内ファン回転数切替部と冷却中の庫内数をカウントするための冷却庫内数カウント部とを備え、前記過渡運転判定手段が過渡運転状態と判定する場合、冷却庫内数が所定の値よりも多い場合に前記各庫内ファンの回転数を減らし、冷却庫内数が所定の値以下の場合に前記各庫内ファンの回転数を増やす過負荷運転状態時に、機種毎や庫内毎さらには冷却運転状態に従って、前記庫内ファンの回転数を決定し、前記圧縮機への負荷トルクを減らし消費電力量も減らすことができる。さらには前記圧縮機の負荷トルクを減らしつつもイニシャルプルダウン時間を短縮することもできる。
【００１９】
以下、本発明の実施の形態について、図面を参照しながら説明する。なお、この実施の形態によってこの発明が限定されるものではない。
【００２０】
（実施の形態１）
図１は本発明の実施の形態１における自動販売機の概要構成図である。図２は、本発明の実施の形態１における自動販売機の冷却システムの概要構成図を示す。図３は、本発明の実施の形態１における自動販売機の制御装置の概要図である。図４は、本発明の実施の形態１における自動販売機の制御装置の詳細図である。図５と図６は、本発明の実施の形
態１における自動販売機の制御装置の制御フローチャートである。
【００２１】
図１において、自動販売機２１は、断熱隔壁２２により区画された庫内Ａ、庫内Ｂそして庫内Ｃを備え、それぞれに商品収納コラム２３Ａ、商品収納コラム２３Ｂそして商品収納コラム２３Ｃを有する。さらに、商品収納コラム２３Ａ、商品収納コラム２３Ｂそして商品収納コラム２３Ｃ内には、温度を測定するコラム内温度測定センサ４１Ａ、コラム内温度測定センサ４１Ｂそしてコラム内温度測定センサ４１Ｃを有する。そして、自動販売機全体を制御するためのコントローラ２７、圧縮機等の冷却装置及び商品排出機構等が内蔵された機構部２６を備えて構成されている。
【００２２】
図２において、庫内Ａに、庫内Ａを冷却するための蒸発器６０Ａ、庫内Ａの空気を循環させるための庫内ファン６１Ａ、庫内Ａを加温するためのヒータ６２Ａ、液冷媒を絞り膨張させるためのキャピラリチューブ６３Ａ、庫内Ａに冷媒を流すための電磁弁６４Ａが取付けられている。庫内Ｂと庫内Ｃも同様である。蒸発器６０Ａ、蒸発器６０Ｂそして蒸発器６０Ｃからの冷媒を圧縮するための圧縮機６８、圧縮機６８で圧縮された冷媒蒸気を凝縮させるための凝縮器６６、凝縮器６６に取付けられ凝縮器６６に送風するための凝縮器ファン６７ａ、凝縮器ファン６７ｂ、凝縮器ファン６７ｃ、水分を除去するドライヤ６５を備えている。
【００２３】
図３において、負荷制御部１００は、イニシャルプルダウンや負荷投入状態かどうかを判定するための過渡運転判定手段２００と、庫内ファン６１Ａ、庫内ファン６１Ｂ、庫内ファン６１Ｃの回転数を制御するための庫内ファン回転数制御手段３００により構成されている。
【００２４】
さらに、過渡運転判定手段２００はコラム内温度測定センサ４１Ａ、コラム内温度測定センサ４１Ｂ、コラム内温度測定センサ４１Ｃの温度を検知するための庫内温度検知部２００ａとドア開放時間を計測するためのドア開放時間計測部２００ｂにより構成されている。
【００２５】
また、庫内ファン回転数制御手段３００は、庫内ファンの回転数を記憶した庫内ファン回転数記憶部３００ａと庫内ファンの回転数を設定するための庫内ファン回転数設定部３００ｂと過渡運転時間や庫内ファン回転数の制御時間を計測するための時間計測部３００ｃにより構成される。
【００２６】
庫内ファン回転数記憶部３００ａには例えば間欠率０％、間欠率２５％、間欠率５０％、間欠率７５％が記憶されている。庫内ファン回転数設定部３００ｂは間欠率０％、間欠率２５％、間欠率５０％、間欠率７５％の中から冷却動作中と冷却停止中ならびに加温動作中と加温停止中の回転数を庫内ファン６１Ａ、庫内ファン６１Ｂ、庫内ファン６１Ｃに対して選択する。
【００２７】
図４において、本発明の実施の形態１の予め決められた回転数で制御する庫内ファン回転数制御手段３１０としての一定の回転数で制御する庫内ファン回転数制御手段３１１は、庫内ファン回転数記憶部３００ａと庫内ファン回転数設定部３００ｂと過渡運転時間を計測するための過渡運転時間計測部３１１ａにより構成されている。
【００２８】
以上のように構成された自動販売機２１の冷却システムの制御装置について、以下その動作、作用を説明する。
【００２９】
図５において、Ｓ１０１でコラム内温度測定センサ４１Ａ、コラム内温度測定センサ４１Ｂ、コラム内温度測定センサ４１Ｃの温度の温度が全てＴ１℃（例えば３２℃）以上と
庫内温度検知部２００ａが検知する場合、過渡運転判定手段２００がイニシャルプルダウン状態（過負荷運転状態）と判定する。また、ドア開放時間計測部２００ｂがドア開放時間ｔ１分（例えば５分）と計測する場合、商品充填状態（過負荷運転状態）と認識する。これらの場合は過負荷運転状態であるので過負荷運転制御処理を実施する（Ｓ１０２）。Ｓ１０３で一定の回転数で制御する庫内ファン回転数制御手段３１１において、庫内ファン回転数設定部３００ｂが庫内ファン回転数記憶部３００ａに記憶されている過渡運転の回転数を庫内ファン６１Ａ、庫内ファン６１Ｂ、庫内ファン６１Ｃそれぞれに設定し、負荷制御部１００が設定された回転数で庫内ファン６１Ａ、庫内ファン６１Ｂ、庫内ファン６１Ｃを制御する。
【００３０】
過負荷運転の回転数は、過渡運転時間計測部３１１ａのカウント時間が所定の時間ｔ２（例えば過渡運転状態が始まって１２時間）まで維持され、それ以降、庫内ファン回転数設定部３００ｂが庫内ファン回転数記憶部３００ａに記憶されている安定運転の回転数を庫内ファン６１Ａ、庫内ファン６１Ｂ、庫内ファン６１Ｃそれぞれに設定し、負荷制御部１００が設定された回転数で庫内ファン６１Ａ、庫内ファン６１Ｂ、庫内ファン６１Ｃを制御する（Ｓ１０５）。
【００３１】
以上のように、本実施の形態においては、予め決められた回転数で制御する庫内ファン回転数制御手段３１０（庫内ファン制御手段３００）を一定の回転数で制御する庫内ファン回転数制御手段３１１とすることにより、蒸発器６０Ａ、蒸発器６０Ｂ、蒸発器６０Ｃにおける冷媒と蒸発器周囲空気との熱交換量を機種毎や庫内毎に適正化することになり、圧縮機６８にかかる負荷も適正化できて消費電力の低減を図ることができる。
【００３２】
なお、本実施の形態では、予め決められた回転数で制御する庫内ファン回転数制御手段３１０としての一定の回転数で制御する庫内ファン回転数制御手段３１１を所定時間毎に回転数を切替える庫内ファン回転数制御手段３１２としてもよい。所定時間毎に回転数を切替える庫内ファン回転数制御手段３１２は、庫内ファン回転数記憶部３００ａと、庫内ファン回転数設定部３００ｂと、庫内ファン回転数を切替えるための庫内ファン回転数切替部３１２ａと、過渡運転時間計測部３１１ａと過渡運転状態で庫内ファン回転数が制御された時間を計測するための運転時間計測部３１２ｂにより構成される。
【００３３】
以下その動作、作用を予め決められた回転数で制御する庫内ファン回転数制御手段３１０と異なる箇所のみ説明する。
【００３４】
図６において、Ｓ２０１で運転時間計測部３１２ｂがＳ１０３で設定された回転数で制御された時間を計測し、所定の時間ｔａ（例えば６時間）経過すれば、庫内ファン回転数切替部３１２ａが庫内ファン回転数記憶部３００ａに記憶されているＳ１０３で設定した回転数よりも大きい回転数に切替え、負荷制御部１００が設定された回転数で庫内ファン６１Ａ、庫内ファン６１Ｂ、庫内ファン６１Ｃを制御する。
【００３５】
以上のように、予め決められた回転数で制御する庫内ファン回転数制御手段３１０（庫内ファン制御手段３００）を所定時間毎に回転数を切替える庫内ファン回転数制御手段３１２とすることにより、蒸発器６０Ａ、蒸発器６０Ｂ、蒸発器６０Ｃにおける冷媒と蒸発器周囲空気との熱交換量を機種毎や庫内毎に適正化することになり、圧縮機６８にかかる負荷も適正化できて消費電力の低減を図ることができる。さらに、圧縮機６８の負荷トルクが過大にならない状態まで冷却されてから庫内ファンの回転数を増やすこととなり、イニシャルプルダウン時間の短縮も図ることができる。
【００３６】
（実施の形態２）
図３は、本発明の実施の形態２における自動販売機の制御装置の概要図である。図４は
、本発明の実施の形態２における自動販売機の制御装置の詳細図である。図７と図８は、本発明の実施の形態２における自動販売機の制御装置の制御フローチャートである。なお、実施の形態１と同一構成については、詳細な説明を省略する。
【００３７】
本発明の実施の形態２の冷却動作に従った回転数で制御する庫内ファン回転数制御手段３２０としての庫内温度に従った回転数で制御する庫内ファン回転数制御手段３２１は、庫内ファン回転数記憶部３００ａと庫内ファン回転数設定部３００ｂと庫内ファン回転数切替部３１２ａと過渡運転時間計測部３１１ａと、庫内温度を判定するための庫内温度判定部３２１ａにより構成される。
【００３８】
以上のように構成された自動販売機２１の冷却システムの制御装置について、以下その動作、作用を説明する。
【００３９】
図７において、Ｓ３０１で庫内温度検知部２００ａがコラム内温度測定センサ４１Ａ、コラム内温度測定センサ４１Ｂ、コラム内温度測定センサ４１Ｃの温度を検知し、庫内温度判定部３２１ａが所定の温度よりも低いと判定する場合、庫内ファン６１Ａ、庫内ファン６１Ｂ、庫内ファン６１Ｃそれぞれの回転数をＳ１０３で設定した庫内ファン回転数より増やす。一方、所定の温度よりも高い場合、庫内ファン６１Ａ、庫内ファン６１Ｂ、庫内ファン６１Ｃそれぞれの回転数をＳ１０３で設定した庫内ファン回転数以下にする。
【００４０】
以上のように、本実施の形態においては、冷却動作に従った回転数で制御する庫内ファン回転数制御手段３２０（庫内ファン制御手段３００）を庫内温度に従った回転数で制御する庫内ファン回転数制御手段３２１とすることにより、蒸発器６０Ａ、蒸発器６０Ｂ、蒸発器６０Ｃにおける冷媒と蒸発器周囲空気との熱交換量を機種毎や庫内毎だけでなく冷却状態で適正化することになり、圧縮機６８にかかる負荷も適正化できて消費電力の低減を図ることができる。さらに、圧縮機６８の負荷トルクが過大にならない状態まで冷却されてから庫内ファンの回転数を増やすこととなり、イニシャルプルダウン時間の短縮も図ることができる。
【００４１】
なお、本実施の形態では、冷却動作に従った回転数で制御する庫内ファン回転数制御手段３２０を冷却庫内数に従った回転数で制御する庫内ファン回転数制御手段３２２としてもよい。冷却庫内数に従った回転数で制御する庫内ファン回転数制御手段３２２は、庫内ファン回転数記憶部３００ａと庫内ファン回転数設定部３００ｂと庫内ファン回転数切替部３１２ａと過渡運転時間計測部３１１ａと、冷却庫内数カウント部３２２ａにより構成される。
【００４２】
以下その動作、作用を説明する。
【００４３】
図８において、Ｓ４０１で冷却庫内数カウント部３２２ａが冷却中の庫内数をカウントし、冷却庫内数が所定の値（冷却庫内数２）よりも多い場合に庫内ファン６１Ａ、庫内ファン６１Ｂ、庫内ファン６１Ｃそれぞれの回転数をＳ１０３で設定した庫内ファン回転数以下にする。一方、冷却庫内数が所定の値（冷却庫内数２）以下の場合に庫内ファン６１Ａ、庫内ファン６１Ｂ、庫内ファン６１Ｃそれぞれの回転数をＳ１０３で設定した庫内ファン回転数より増やす。所定の値は限定されるものでなく、所定の値に対して庫内ファン回転数を増やすか減らすかの組み合わせも限定されるものではない。
【００４４】
以上のように、冷却動作に従った回転数で制御する庫内ファン回転数制御手段３２０（庫内ファン制御手段３００）を冷却庫内数に従った回転数で制御する庫内ファン回転数制御手段３２２とすることにより、蒸発器６０Ａ、蒸発器６０Ｂ、蒸発器６０Ｃにおける冷媒と蒸発器周囲空気との熱交換量を機種毎や庫内毎だけでなく冷却状態で適正化すること
になり、圧縮機６８にかかる負荷も適正化できて消費電力の低減を図ることができる。さらに、圧縮機６８の負荷トルクが過大にならない状態まで冷却されてから庫内ファンの回転数を増やすこととなり、イニシャルプルダウン時間の短縮も図ることができる。
【００４５】
なお、電磁弁６４Ａ、電磁弁６４Ｂ、電磁弁６４Ｃ、圧縮機６８により構成された自動販売機２１の冷却システムに限定されるものではない。
【産業上の利用可能性】
【００４６】
以上のように、本発明にかかる自動販売機は、過負荷運転状態時に、機種毎や庫内毎さらには冷却運転状態に従って、庫内ファンの回転数を決定し、圧縮機への負荷トルクを減らし消費電力量も減らすことができるので、冷却システムを備えたあらゆる機器の用途にも適用できる。
【符号の説明】
【００４７】
２１  自動販売機
６０Ａ、６０Ｂ、６０Ｃ  蒸発器
６１Ａ、６１Ｂ、６１Ｃ  庫内ファン
６２Ａ、６２Ｂ  ヒータ
６６  凝縮器
６７ａ、６７ｂ、６７ｃ  凝縮器ファン
６８  圧縮機
１００  負荷制御部
２００  過渡運転判定手段
２００ａ  庫内温度検知部
２００ｂ  ドア開放時間計測部
３００  庫内ファン回転数制御手段
３００ａ  庫内ファン回転数記憶部
３００ｂ  庫内ファン回転数設定部
３００ｃ  時間計測部
３１０  予め決められた回転数で制御する庫内ファン回転数制御手段
３２０  冷却動作に従った回転数で制御する庫内ファン回転数制御手段
３２０ａ  冷却動作判定部
３１１  一定の回転数で制御する庫内ファン回転数制御手段
３１１ａ  過渡運転時間計測部
３１２  所定時間毎に回転数を切替える庫内ファン回転数制御手段
３１２ａ  庫内ファン回転数切替部
３１２ｂ  運転時間計測部
３２１  庫内温度に従った回転数で制御する庫内ファン回転数制御手段
３２１ａ  庫内温度判定部
３２２  冷却庫内数に従った回転数で制御する庫内ファン回転数制御手段
３２２ａ  冷却庫内数カウント部
【図１】
2012226566.tif 000003
【図２】
2012226566.tif 000004
【図３】
2012226566.tif 000005
【図４】
2012226566.tif 000006
【図５】
2012226566.tif 000007
【図６】
2012226566.tif 000008
【図７】
2012226566.tif 000009
【図８】
2012226566.tif 000010
【図９】
2012226566.tif 000011